【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
コリオリ流量計を組み立てる方法において、
基板（５５２）及び２つの脚部（５１７，５１８）を有する流量計構造体を提供するステップであって、前記２つの脚部は離間した関係で前記基板に取り付けられ、各前記２つの脚部はその脚部を通る管開口部（５０２，５１２）を有し、その２つの管開口部は同軸的な関係で整列させられている、前記流量構造体を提供するステップと、
所定の外径を有する非剛体の流管（５０１）を提供するステップであって、前記外径は予め定義された間隙を出る間、前記２つの脚部内の前記２つの管開口部（５０２，５１２）内に嵌入するように形成されている、前記流管（５０１）を提供するステップと、
前記２つの管開口部内に前記非剛体の流管（５０１）を配置するステップであって、前記流管の所定の区画は前記２つの管開口部の間を伸長し、前記流管は、前記流管の外径及び前記２つの開口部の内径の間に２つの予め定義された間隙を作っている、前記流管（５０１）を配置するステップと、
前記２つの予め定義された間隙内に接着剤を挿入するステップと、
前記挿入された接着剤が硬化している間、本質的にまっすぐな形状である前記２つの脚部の間に伸長する前記流管の区画を保持するステップとを備えることを特徴とする方法。
【請求項２】
請求項１に記載のコリオリ流量計を組み立てる方法において、
前記接着剤は、各脚部の接着剤開口部（５０４，５１４）を通って各予め定義された間隙内に挿入され、
各接着剤開口部は交叉し、且つ、各脚部（５１７，５１８）の前記管開口部（５０２，５１２）に対して垂直であり、
２つの前記管開口部の軸は、本質的に同一面内にあり、
前記接着剤が挿入されている間、前記接着剤開口部及び前記管開口部は水平方向に保持されている、方法。
【請求項３】
請求項１に記載のコリオリ流量計を組み立てる方法において、
前記非剛体の流管の外側表面は、多くの接着領域の内少なくとも１つの領域において腐食され、これにより、接着領域は、前記非剛体の流管が他の表面に接着される領域となる、方法。
【請求項４】
請求項３に記載のコリオリ流量計を組み立てる方法において、
前記腐食は、ナフタレンナトリウム腐食剤を使用しておこなわれる、方法。
【請求項５】
請求項１に記載のコリオリ流量計を組み立てる方法において、
取付ブロック（１０００）を提供するステップにより、前記２つの脚部の間で伸長する前記非剛体の流管の前記区画が本質的に直線的な形状に保持される、前記取付ブロック（１０００）を提供するステップは、
前記基板の前記第１脚部及び前記第２脚部の間に、端部に第１管開口部分を有している第１区画（８０２）を挿入するステップと、
前記基板の前記第１脚部及び前記第２脚部の間に、端部（９１５）に第２管開口部分（９１４）を有している第２区画（８０４）を挿入するステップであって、前記第２区画の端部は前記第１区画の前記端部に隣接して適合して取付ブロック（１０００）を形成し、前記取付ブロックは前記第１管開口部分及び前記第２管開口部分から形成される管開口部（１１０１）を有しており、前記非剛体の流管は前記取付ブロックの前記管開口部内に保持されている、前記第２区画（８０４）を挿入するステップとを備える、方法
【請求項６】
請求項５に記載のコリオリ流量計を組み立てる方法において、前記取付ブロック（１０００）を提供するステップは、
前記取付ブロックの表面から伸張し、前記取付ブロックの前記管開口部（１１０１）と交叉する励振器開口部（１２０２）であって、その励振器開口部を使用して励振器が前記非剛体の流管に取り付けられている、前記励振器開口部を提供するステップと、
前記取付ブロックの前記表面から伸張し、前記取付ブロックの前記管開口部と交叉する少なくとも１つのピックオフ開口部（１２０４）であって、そのピックオフ開口部を使用して少なくとも１つのピックオフが前記非剛体の流管に取り付けられている前記少なくとも１つのピックオフ開口部を提供するステップとを更に備える方法。
【請求項７】
請求項６に記載のコリオリ流量計を組み立てる方法において、前記取付ブロックを提供するステップは、
前記取付ブロック（１０００）の前記励振器開口部に嵌るようになっており、前記取付ブロックの前記表面から、前記取付ブロックの前記管開口部（１１０１）に隣接する領域まで伸張している整列手段（１２０６）であって、前記非剛体の流管に取り付けられる間、前記励振器及び前記少なくとも１つのピックオフを前記非剛体の流管に関する整列位置に保持するのに使用される前記整列手段を提供するステップを更に備える、方法。
【請求項８】
請求項６に記載のコリオリ流量計を組み立てる方法において、前記取付ブロックを提供するステップは、
前記第１区画（８０２）及び前記第２区画（８０４）を前記流量計（５００）の前記基板（５５２）に固定して、前記取付ブロック（１０００）の前記励振器開口部（１２０２）を前記基板内の励振器開口部と整列させ、且つ、前記取付ブロックの前記少なくとも１つのピックオフ開口部（１２０４）を前記基板内の前記少なくとも１つのピックオフ開口部と整列させるための、固定手段（８０６）を提供するステップと、
前記固定手段を使用して前記第１区画及び前記第２区画を前記基板に固定するステップとを更に備える方法。
【請求項９】
請求項１に記載のコリオリ流量計を組み立てる方法において、前記非剛体の流管は、ペルフルオロアルコキシエチレン（ＰＦＡ）から作られている方法。
【請求項１０】
請求項１に記載のコリオリ流量計を組み立てる方法において、前記非剛体の流管は、ポリテトラフルオロエチレン（ＰＴＦＥ）から作られている方法。
【請求項１１】
請求項１に記載のコリオリ流量計を組み立てる方法において、前記接着剤は、シアノアクリレート接着剤を含む方法。
【請求項１２】
請求項１に記載のコリオリ流量計を組み立てる方法において、
前記２つの脚部の間で伸長する前記非剛体の流管の前記区画に取り付けられる複数の構成要素を提供するステップと、
前記複数の構成要素を前記非剛体の流管に沿った予め画定した１組の位置に整列するステップと、
前記接着剤を使用して、前記複数の構成要素を前記非剛体の流管に取り付けるステップとを更に備える方法。
【請求項１３】
請求項１２に記載のコリオリ流量計を組み立てる方法において、
前記複数の構成要素のうち少なくとも１つは励振器である方法。
【請求項１４】
請求項１２に記載のコリオリ流量計を組み立てる方法において、
前記複数の構成要素のうち少なくとも１つはピックオフである方法。
【請求項１５】
請求項１２に記載のコリオリ流量計を組み立てる方法において、
前記複数の構成要素のうち少なくとも１つを使用して振動を生じさせて、前記非剛体の流管を振動させ、且つ、前記複数の構成要素のうち少なくとも１つを使用して前記非剛体の流管の振動を計測することにより、前記複数の構成要素の前記位置を試験するステップを更に備える方法。
【請求項１６】
請求項１５に記載のコリオリ流量計を組み立てる方法において、
前記試験された位置の結果に基づいて、前記複数の構成要素の予め画定された位置を調整するステップを更に備える方法。
【請求項１７】
請求項１に記載のコリオリ流量計を組み立てる方法において、
前記非剛体の流管の所定の区画を押出成形することにより所定の非剛体の流管を製造するステップであって、前記押出成形された区画は室温よりも高い温度を有する、前記非剛体の流管を製造するステップと、
前記押出成形された非剛体の流管の区画を固定し、その非剛体の流管が冷却される際に、その流管の長手方向形状を真っ直ぐに保持するステップとを更に備える方法。